(57)【要約】【課題】  ボウル裏面下方の空間を有効利用可能に広げるとともに、排水口のメッシュ体等にゆがみや変形が生じにくく、またその製造を容易とする。【解決手段】  ボウル排水口２と排水管とを接続する構造として、排水口２はボウル１の後方立上り面１Ａと底面１Ｂとのコーナー部に設けるとともに、排水管はキャビネット部３の内部後方域に配置し、排水口２は、ボウル１の後方立上り面１Ａでの開口排水部２Ａと、ボウル１の底面１Ｂと面一の平面部２Ｂとを備えたものとする。【選択図】図１
2006328722.tif 000002
【特許請求の範囲】
【請求項１】
ボウルに配設される排水口と排水管とを接続する排水構造であって、排水口は、ボウルの後方立上り面と底面とのコーナー部に設けられるとともに、排水口の下方に接続される排水管は、ボウルを支持するキャビネット部の内部後方域に設けられ、排水口は、ボウル後方立上り面での開口排水部とボウル底面と面一の平面部とを備えていることを特徴とする排水構造。
【請求項２】
開口排水口は略半円形状の開口とボウル後方立上り面と面一のフランジ部とを有することを特徴とする請求項１の排水構造。
【発明の詳細な説明】
【技術分野】
【０００１】
本発明は、流し台や洗面化粧台等のボウル排水口と排水管との接続構造に関するものである。
【背景技術】
【０００２】
従来、流し台や洗面化粧台等のボウルの排水口と排水管の接続においては、通常、図４に示したように、ボウル１底面の略中央部もしくは若干その後方に排水口２を設け、ボウル１を支持するキャビネット部３内部域において排水口２に排水管４を接続するようにしている。そして排水管４は、排水口２に対してほぼ鉛直に配置するか、あるいは図４のように、キャビネット部後方の壁５側に排水の流れ方向を変えるようにして配置している。
【０００３】
だが、このような従来一般的なボウル排水口２への排水管４の接続構造では、排水口２に接続する排水管４の存在によって、キャビネット部３内部域のボウル１裏面下方の空間３Ａが収納等に利用するのが難しいという問題があった。
【０００４】
そこで、このような問題を解決してボウル１裏面下方のキャビネット部３の内部空間３Ａを広く利用可能とするために、たとえば図５に示したように、コーナーメッシュ体の開口等を有する排水口２をボウル１後方の立上り面と底面とのコーナー部に設け、この排水口２に接続する排水管４を、キャビネット部３のより後方域の壁側に配置するようにした流し台の排水構造が提案されている（特許文献１−２）。
【０００５】
しかしながら、この提案された排水構造においては、キャビネット部３の内部空間３Ａ、すなわちボウル１裏面下方の空間の有効利用域は拡大したものの、図５に示したようなボウル１後方の立上り面と底面とのコーナー部に設けた排水口２において、その開口に備えた屈曲されたコーナーメッシュ体やコーナースリット体が、ボウル１の立上り面側と底面側との不均一な排水圧によってゆがみや変形を生じやすく、またこれらのコーナーメッシュ体やコーナースリット体を有する排水口２そのものの製造も複雑で面倒であるという問題があった。
【特許文献１】特開平１０−３７２６４号公報
【特許文献２】特開平７−２６６０７号公報
【発明の開示】
【発明が解決しようとする課題】
【０００６】
本発明は、以上のとおりの背景から、ボウル裏面下方のキャビネット部内部域を収納等のために有効利用可能な空間としてより広げることができるとともに、従来の屈曲されたコーナーメッシュ体やコーナースリット体を有する排水口の場合のようなゆがみ変形が生じにくく、しかもその製造も容易な排水口とすることのできる、ボウル排水口と排水管との改良された新しい排水構造を提供することを課題としている。
【課題を解決するための手段】
【０００７】
本発明の排水構造は、上記の課題を解決するものとして以下のことを特徴としている。
【０００８】
第１：ボウルに配設される排水口と排水管とを接続する排水構造であって、排水口は、ボウルの後方立上り面と底面とのコーナー部に設けられるとともに、排水口の下方に接続される排水管は、ボウルを支持するキャビネット部の内部後方域に設けられ、排水口は、ボウル後方立上り面での開口排水部とボウル底面と面一の平面部とを備えている。
【０００９】
第２：上記構造において、開口排水口は、略半円形状の開口とボウル後方立上り面と面一のフランジ部とを有する。
【発明の効果】
【００１０】
上記のとおりの第１の発明の構造によれば、流し台シンクや洗面化粧台等のボウルの後方立上り面と底面とのコーナー部に配設される排水口に排水管が接続されることから、排水管はキャビネット部内部のより後方域での配置となり、ボウル裏面下方の空間は、収納等のための有効利用域が広いものとなる。しかも、排水口の開口排水部はボウル後方立上り面側のみに設けられ、ボウル底面と面一の平面部によって十分な強度をもって支持されていることから、この開口排水部にメッシュ体やスリット体を備えても、従来の屈曲されたコーナーメッシュ体やコーナースリット体を有する排水口の場合のような不均一な排水圧によるゆがみや、変形は生じにくくすることができ、また、メッシュ体やスリット体は従来のように屈曲して配設する必要がなく、フラットに設けることができるので排水口の製造はより容易となる。
【００１１】
また、第２の発明によれば、開口排水部は略半円形状の開口とフランジ部を有するものとしていることから、円筒形状の排水管への排水流れを従来の図５の場合に比べてより均一に円滑なものとし、メッシュ体やスリット体の支持強度も、耐排水圧をより向上させたものとすることができる。
【発明を実施するための最良の形態】
【００１２】
添付した図面の図１は本発明の一実施形態を例示した外観斜視図であって、流し台のシンク、すなわちボウル１に排水口２を配設した状態を示している。図２は、この場合の排水口２の斜視図（Ａ）と側面図（Ｂ）である。
【００１３】
より詳しく説明すると、排水口２はボウル１の後方立上り面１Ａと底面１Ｂとのコーナー部に設けられており、また金属製等の排水口２は、ボウル１の後方立上り面１Ａでの開口排水部２Ａと、ボウル１の底面１Ｂと面一の平面部２Ｂとを有している。そして開口排水部２Ａには金属製メッシュ体が設けられている。また、開口排水部２Ａのメッシュ体が配設されている開口は、図１および図２の例では略半円形状、すなわち、半円状もしくは半円に近似する形状を有し、開口の周囲には、ボウル１の後方立上り面１Ａと面一となるフランジ部２Ｃを有している。
【００１４】
メッシュ体は、このフランジ部２Ｃと、ボウル１の底面１Ｂと面一の平面部２Ｂとによって、従来のように屈曲されることなくフラットに、しっかりと固定される。
【００１５】
このメッシュ体、あるいはスリット体等では、従来のような不均一な排水圧によるゆがみ、変形は生じにくく、また、フラットな配設として排水口２の製造も容易である。
【００１６】
そして、上記の排水口２は、図２に例示したように、たとえばその下方のねじ部２Ｄにおいて、たとえば図３に示したように排水管４と接続される。
【００１７】
図４との対比からも明らかなように、排水管４は、キャビネット部３内部域のより後方に配置されるので、ボウル１の裏面下方の空間３Ａは、キャビネット部３での収納等のために広い空間として有効に利用することができる。
【００１８】
もちろん、以上の例によって本発明が限定されることはない。その細部の形状は様々に可能であることは言うまでもない。
【図面の簡単な説明】
【００１９】
【図１】一実施形態を例示した外観斜視図である。
【図２】排水口について例示した斜視図（Ａ）と側面図である。
【図３】排水口への排水管の接続配置を例示した概要断面図である。
【図４】従来一般的な排水構造を示した概要断面図である。
【図５】ボウル後方コーナー部に排水口を配置した従来例を示した斜視図と要部断面図である。
【符号の説明】
【００２０】
１    ボウル
１Ａ    後方立上り面
１Ｂ    底面
２    排水口
２Ａ    開口排水部
２Ｂ    平面部
２Ｃ    フランジ部
２Ｄ    ねじ部
３    キャビネット部
３Ａ    空間
４    排水管
５    壁
【図１】
2006328722.tif 000003
【図２】
2006328722.tif 000004
【図３】
2006328722.tif 000005
【図４】
2006328722.tif 000006
【図５】
2006328722.tif 000007